(57)【要約】【課題】通信装置で使用者に対し電源オフが不要な場面で勝手に電源オフすることなく不便を掛けずに、且つバッテリ消費を節約する。【解決手段】照度センサー１０２は周辺の照度を検出する。時計１０５は現在時刻を出力する。記憶部１０４は、予め操作入力に基づいて自動電源断の開始時刻と終了時刻ならびに明暗判定のためのしきい値を記憶しておく。制御部１０１は、記憶部１０４に記憶した自動電源断の開始時刻と時計１０５の現在時刻とを比較し、同一と判断したときに照度センサー１０２を作動させて周辺照度を検出する。この検出結果がしきい値と比較し暗いと判断した場合には自通信装置の電源を切断し、明るいと判断した場合には電源供給を維持する。【選択図】      図１
2005159421.tif 000002
【特許請求の範囲】
【請求項１】
周辺の照度を検出する照度検出手段と、予め操作入力により設定した自動電源断の開始時刻と現在時刻とを比較し同一と判断したときに前記照度検出手段を作動させ検出した周辺照度が予め定めたしきい値より明るいと判断した場合には電源供給を維持し暗いと判断した場合には自通信装置の電源を切断する電源制御を行う制御手段とを備えることを特徴とする通信装置。
【請求項２】
周辺の照度を検出する照度検出手段と、使用者に通知する報知手段と、予め操作入力により設定した自動電源断の開始時刻と現在時刻とを比較し同一と判断したときに前記照度検出手段を作動させ検出した周辺照度が予め定めたしきい値より明るいと判断した場合には前記報知手段を動作可能な状態に維持し暗いと判断した場合には前記報知手段を停止状態にする鳴動制御を行う制御手段とを備えることを特徴とする通信装置。
【請求項３】
他の通信装置と通信を行うための通信装置であって、周辺の照度を検出する照度センサーと、現在時刻を出力する時計と、予め操作入力に基づいて電源断の開始時刻と終了時刻ならびに明暗判定のためのしきい値を記憶しておく記憶部と、前記各部を制御する制御部とを備え、前記制御部は、前記記憶部に記憶した自動電源断の開始時刻と前記時計の現在時刻とを比較し、同一と判断したときに前記照度センサーを作動させて周辺照度を検出し、この検出結果が前記しきい値と比較し暗いと判断した場合には自通信装置の電源を切断し、明るいと判断した場合には電源供給を維持することを特徴とする通信装置。
【請求項４】
前記制御部は、自動電源断の終了時刻と前記時計の現在時刻とを比較し、同一と判断したときに前記照度センサーによる照度検出を終了させ、前記終了時刻と現在時刻が異なると判断したときには、前記照度センサーを一定時間停止させるかあるいは前記照度センサーによる検出を継続することを特徴とする請求項３記載の通信装置。
【請求項５】
他の通信装置と通信を行うための通信装置であって、周辺の照度を検出する照度センサーと、現在時刻を出力する時計と、予め操作入力に基づいて自動鳴動停止の開始時刻と終了時刻ならびに明暗判定のためのしきい値を記憶しておく記憶部と、使用者に通知する報知手段と、前記各部を制御する制御部とを備え、前記制御部は、前記記憶部に記憶した自動鳴動停止の開始時刻と前記時計の現在時刻とを比較し、同一と判断したときに前記照度センサーを作動させて周辺照度を検出し、この検出結果が前記しきい値と比較し暗いと判断した場合には前記報知手段を停止状態にし、明るいと判断した場合には前記報知手段を動作可能な状態に維持することを特徴とする通信装置。
【請求項６】
前記制御部は、自動鳴動停止の終了時刻と前記時計の現在時刻とを比較し、同一と判断したときに前記照度センサーによる照度検出を終了させ、前記終了時刻と現在時刻が異なると判断したときには前記照度センサーによる検出を継続することを特徴とする請求項５記載の通信装置。
【請求項７】
前記報知手段は、音または振動によって通知を行うことを特徴とする請求項２または５記載の通信装置。
【請求項８】
前記制御部は、前記暗い状態が所定時間継続した場合に初めて暗いと判断することを特徴とする請求項３または５記載の通信装置。
【請求項９】
前記通信装置が、携帯端末であることを特徴とする請求項１〜８いずれか１項に記載の通信装置。
【請求項１０】
前記携帯端末が、携帯電話機または簡易携帯電話機であることを特徴とする請求項９記載の通信装置。
【請求項１１】
他の通信装置と通信を行うための通信装置における電源制御方法であって、操作入力により予め自動電源断の開始時刻と終了時刻をメモリに設定しておくステップと、前記メモリから読み出した前記開始時刻と現在時刻とを比較し同一か否かを判定するステップと、この判定で両者が同一と判断した場合照度センサーを作動させ周辺照度の検出を開始させるステップと、この検出した周辺照度と前記メモリに予め設定した明暗しきい値とを比較するステップと、この明暗比較の結果、暗いと判断した場合には自通信装置の電源を切断するステップと、明るいと判断した場合には自通信装置の電源供給を維持するステップとを有することを特徴とする通信装置における電源制御方法。
【請求項１２】
周辺照度の検出値と前記明暗しきい値とを比較の結果、暗いと判断した場合、自動電源断の終了時刻と現在時刻とを比較し、両者が同一と判断した場合には前記照度センサーによる照度検出を終了させ、異なる場合には周辺照度の検出を続行させるステップを有することを特徴とする請求項１１記載の通信装置における電源制御方法。
【請求項１３】
現在時刻が前記終了時刻と異なる場合、前記照度センサーを一定時間停止させるステップを有することを特徴とする請求項１２記載の通信装置における電源制御方法。
【請求項１４】
他の通信装置と通信を行うための通信装置における鳴動制御方法であって、操作入力により予め自動鳴動停止の開始時刻と終了時刻をメモリに設定しておくステップと、前記メモリから読み出した前記開始時刻と現在時刻とを比較し同一か否かを判定するステップと、この判定で両者が同一と判断した場合照度センサーを作動させ周辺照度の検出を開始させるステップと、この検出した周辺照度と前記メモリに予め設定した明暗しきい値とを比較するステップと、この明暗比較の結果、暗いと判断した場合には自通信装置の報知手段を停止するステップと、明るいと判断した場合には前記報知手段を動作可能状態に維持するステップとを有することを特徴とする通信装置における鳴動制御方法。
【請求項１５】
周辺照度の検出値と前記明暗しきい値とを比較の結果、暗いと判断した場合、自動鳴動停止の終了時刻と現在時刻とを比較し、両者が同一と判断した場合には前記照度センサーによる照度検出を終了させ、異なる場合には周辺照度の検出を続行させるステップを有することを特徴とする請求項１４記載の通信装置における鳴動制御方法。
【請求項１６】
周辺照度の検出の結果、前記暗い状態が所定時間継続した場合に初めて暗いと判断することを特徴とする請求項１１または１２記載の通信装置における電源制御方法。
【請求項１７】
周辺照度の検出の結果、前記暗い状態が所定時間継続した場合に初めて暗いと判断することを特徴とする請求項１４または１５記載の通信装置における電源制御方法。
【発明の詳細な説明】
【技術分野】
【０００１】
本発明は通信装置に関し、特に、携帯電話機等の通信装置における電源・鳴動制御機能に関する。
【背景技術】
【０００２】
従来は、通信装置例えば携帯電話機の電源切断方法として、使用者がその都度電源を切断するか、スケジュール機能などと組み合わせ、使用者が設定した時刻に自動的に電源を切断する方法が取られていた。また、睡眠時の携帯電話機の鳴動は睡眠を妨げる。携帯電話機の中には、設定した時刻に自動的に電源を切断する機能があり、これを利用し、予想される就寝時刻に電源を切断する方法もあるが、就寝時刻以降も継続して使用したい場合には不便である。電源を切断する時刻でも、部屋の明かりを感知した場合電源は切断せず、部屋の明かりを消した時点で、電源を切断することができれば、就寝時刻以降も継続して使用したい場合に対応することができる。
【０００３】
関連する技術として、通信時およびその他の使用時に対応して、表示部の電源制御を可能にする移動電話機が開示されている（例えば、特許文献１参照）。この移動電話機においては、本体のスピーカの近傍に第１の光センサーと、本体の背面に第２の光センサーを設けている。このうち第１の光センサーが「暗」で、第２の光センサーが「明」を検知したときに、表示部およびバックライトへの電源供給を停止し、両方の光センサーが「暗」を検知したときにはバックライトを点灯するようにしている。これにより、状況に応じ表示部への電源供給を制御し、消費電力の低減と表示の見易さを図っている。また、予めメモリに記憶した充電開始時刻にバッテリの充電を行うことにより、適切な時期に自動的にリフレッシュ充電を行うことができる携帯端末用充電装置が開示されている（例えば、特許文献２参照）。
【０００４】
【特許文献１】特開２００３−３２３５７号公報（段落番号００１３〜００１８）
【特許文献２】特開平７−１０５９８２号公報（段落番号００２１）
【発明の開示】
【発明が解決しようとする課題】
【０００５】
しかし、使用者がその都度通信装置の電源を切断する方法では、使用者が電源切断を忘れることがあった。また、スケジュール機能などと組み合わせ、使用者が設定した時刻に自動的に電源を切断する方法では、設定した時刻以降も通信装置を使用したい場合、設定を取り消すか、通信装置の電源が切断された後、再び通信装置を起動させる必要があった。
【０００６】
また、上述した２つの光センサーを用いて電源制御する方法は、単に明暗状態を条件に表示部およびバックライトへの電源制御を行っているに過ぎない。さらに、携帯端末用充電装置では、設定した時間に自動でリフレッシュ充電を行っているだけである。そこで、通信装置を使用する可能性があるときには電源を切断せずに、可能性が少ない夜間等に電源を自動的に切断するような利便性の高い通信装置が求められている。
【０００７】
本発明の第１の目的は、上述した要求に基づき成されたもので、使用者に対し電源オフが不要な場面で勝手に電源オフすることなく不便を掛けずに、且つバッテリ消費を節約することが可能な通信装置およびその電源制御方法を提供することにある。
【０００８】
本発明の第２の目的は、使用者に対し鳴動の可能性がある場面で勝手に鳴動停止させることなく、且つバッテリ消費を節約することが可能な通信装置およびその鳴動制御方法を提供することにある。
【課題を解決するための手段】
【０００９】
請求項１に記載の本発明は、周辺の照度を検出する照度検出手段と、予め操作入力により設定した自動電源断の開始時刻と現在時刻とを比較し同一と判断したときに前記照度検出手段を作動させ検出した周辺照度が予め定めたしきい値より明るいと判断した場合には電源供給を維持し暗いと判断した場合には自通信装置の電源を切断する電源制御を行う制御手段とを備える。
【００１０】
請求項２に記載の本発明は、周辺の照度を検出する照度検出手段と、使用者に通知する報知手段と、予め操作入力により設定した自動電源断の開始時刻と現在時刻とを比較し同一と判断したときに前記照度検出手段を作動させ検出した周辺照度が予め定めたしきい値より明るいと判断した場合には前記報知手段を動作可能な状態に維持し暗いと判断した場合には前記報知手段を停止状態にする鳴動制御を行う制御手段とを備える。
【００１１】
請求項３に記載の本発明は、他の通信装置と通信を行うための通信装置であって、周辺の照度を検出する照度センサーと、現在時刻を出力する時計と、予め操作入力に基づいて電源断の開始時刻と終了時刻ならびに明暗判定のためのしきい値を記憶しておく記憶部と、前記各部を制御する制御部とを備え、前記制御部は、前記記憶部に記憶した自動電源断の開始時刻と前記時計の現在時刻とを比較し、同一と判断したときに前記照度センサーを作動させて周辺照度を検出し、この検出結果が前記しきい値と比較し暗いと判断した場合には自通信装置の電源を切断し、明るいと判断した場合には電源供給を維持する。
【００１２】
請求項４に記載の本発明は、請求項３において、前記制御部は、自動電源断の終了時刻と前記時計の現在時刻とを比較し、同一と判断したときに前記照度センサーによる照度検出を終了させ、前記終了時刻と現在時刻が異なると判断したときには、前記照度センサーを一定時間停止させるかあるいは前記照度センサーによる検出を継続する。
【００１３】
請求項５に記載の本発明は、他の通信装置と通信を行うための通信装置であって、周辺の照度を検出する照度センサーと、現在時刻を出力する時計と、予め操作入力に基づいて自動鳴動停止の開始時刻と終了時刻ならびに明暗判定のためのしきい値を記憶しておく記憶部と、使用者に通知する報知手段と、前記各部を制御する制御部とを備え、前記制御部は、前記記憶部に記憶した自動鳴動停止の開始時刻と前記時計の現在時刻とを比較し、同一と判断したときに前記照度センサーを作動させて周辺照度を検出し、この検出結果が前記しきい値と比較し暗いと判断した場合には前記報知手段を停止状態にし、明るいと判断した場合には前記報知手段を動作可能な状態に維持する。
【００１４】
請求項６に記載の本発明は、請求項５において、前記制御部は、自動鳴動停止の終了時刻と前記時計の現在時刻とを比較し、同一と判断したときに前記照度センサーによる照度検出を終了させ、前記終了時刻と現在時刻が異なると判断したときには前記照度センサーによる検出を継続する。
【００１５】
請求項７に記載の本発明は、請求項２または５において、前記報知手段は、音または振動によって通知を行う。
【００１６】
請求項８に記載の本発明は、請求項３または５において、前記制御部は、前記暗い状態が所定時間継続した場合に初めて暗いと判断する。
【００１７】
請求項９に記載の本発明は、請求項１〜８いずれか１項において、前記通信装置が、携帯端末である。
【００１８】
請求項１０に記載の本発明は、請求項９において、前記携帯端末が、携帯電話機または簡易携帯電話機である。
【００１９】
請求項１１に記載の本発明は、他の通信装置と通信を行うための通信装置における電源制御方法であって、操作入力により予め自動電源断の開始時刻と終了時刻をメモリに設定しておくステップと、前記メモリから読み出した前記開始時刻と現在時刻とを比較し同一か否かを判定するステップと、この判定で両者が同一と判断した場合照度センサーを作動させ周辺照度の検出を開始させるステップと、この検出した周辺照度と前記メモリに予め設定した明暗しきい値とを比較するステップと、この明暗比較の結果、暗いと判断した場合には自通信装置の電源を切断するステップと、明るいと判断した場合には自通信装置の電源供給を維持するステップとを有する。
【００２０】
請求項１２に記載の本発明は、請求項１１において、周辺照度の検出値と前記明暗しきい値とを比較の結果、暗いと判断した場合、自動電源断の終了時刻と現在時刻とを比較し、両者が同一と判断した場合には前記照度センサーによる照度検出を終了させ、異なる場合には周辺照度の検出を続行させるステップを有する。
【００２１】
請求項１３に記載の本発明は、請求項１２において、現在時刻が前記終了時刻と異なる場合、前記照度センサーを一定時間停止させるステップを有する。
【００２２】
請求項１４に記載の本発明は、他の通信装置と通信を行うための通信装置における鳴動制御方法であって、操作入力により予め自動鳴動停止の開始時刻と終了時刻をメモリに設定しておくステップと、前記メモリから読み出した前記開始時刻と現在時刻とを比較し同一か否かを判定するステップと、この判定で両者が同一と判断した場合照度センサーを作動させ周辺照度の検出を開始させるステップと、この検出した周辺照度と前記メモリに予め設定した明暗しきい値とを比較するステップと、この明暗比較の結果、暗いと判断した場合には自通信装置の報知手段を停止するステップと、明るいと判断した場合には前記報知手段を動作可能状態に維持するステップとを有する。
【００２３】
請求項１５に記載の本発明は、請求項１４において、周辺照度の検出値と前記明暗しきい値とを比較の結果、暗いと判断した場合、自動鳴動停止の終了時刻と現在時刻とを比較し、両者が同一と判断した場合には前記照度センサーによる照度検出を終了させ、異なる場合には周辺照度の検出を続行させるステップを有する。
【００２４】
請求項１６に記載の本発明は、請求項１１または１２において、周辺照度の検出の結果、前記暗い状態が所定時間継続した場合に初めて暗いと判断する。
【００２５】
請求項１７に記載の本発明は、請求項１４または１５において、周辺照度の検出の結果、前記暗い状態が所定時間継続した場合に初めて暗いと判断する。
【００２６】
本発明によれば、照度センサーは使用者が通信装置を使用しない時間帯の開始時刻に通信装置周辺の照度を検出することで、制御部は、周辺照度が暗ければ使用者が通信装置を使用していないとみなし、通信装置の電源を切断する。明るければ通信装置が使用中であるとみなし、通信装置の電源を切断せず継続して使用できる状態を維持する。これにより、使用者は通信装置の電源の状態を意識せずに済み、操作性を向上させることができる。
【発明の効果】
【００２７】
本発明は以下に記載するような効果を奏する。本発明は、自動電源断開始時刻に照度センサーによる照度の検出を行い、暗いと判断すれば電源を切断し、明るいと判断すれば通信装置の電源供給の状態を維持する。通信装置の電源の状態を維持した場合、照度の検出を引き続き行い、暗いと判断した時点で電源を切断する。これにより、自動電源断開始時刻以降も、通信装置の周辺が明るければ、継続して通信装置を使用することができ、通信装置周辺が暗くなった時点で、通信装置の電源を切断することができるため、操作性の向上が図れる。また、使用者に対し電源オフが不要な場面で勝手に電源オフすることなく不便を掛けずに、且つバッテリ消費を節約することができる。
【００２８】
また、自動電源断開始時刻と終了時刻の代わりに、自動鳴動停止開始時刻と終了時刻を設定しておけば、電源制御の場合と同様な制御を行うことが可能となり、これにより、使用者に対し鳴動の可能性がある場面で勝手に鳴動停止させることなく、且つバッテリ消費を節約することができる。
【発明を実施するための最良の形態】
【００２９】
次に、本発明を実施するための最良の形態について図面を参照して詳細に説明する。
【００３０】
図１は本発明の第１の実施の形態における通信装置を示す構成図である。通信装置は、制御部１０１、照度センサー部１０２、通信部１０３、記憶部１０４および時計１０５を備える。照度センサー部１０２は周辺の照度を検出する。通信部１０３は他の通信装置と信号の送受信を行う。記憶部１０４は、予め操作入力に基づいて自動電源断の開始時刻と終了時刻ならびに明暗判定のためのしきい値を記憶しておく。時計１０５は現在時刻を出力する。制御部１０１は、記憶部１０４にある自動電源断開始時刻と時計１０５の現在時刻とを比較する。そして、両時刻が同じであると判断すると、照度センサー部１０２を作動させ、周辺照度の検出を行う。
【００３１】
制御部１０１は、検出結果と記憶部１０４にある明暗検出しきい値を比較し、暗いと判断すれば、通信装置の電源を切断する。一方、明るいと判断すれば、通信装置の電源供給状態を維持する。通信装置の電源供給状態を維持した場合、照度センサー部１０２は作動し続け、制御部１０１が暗いと判断した時点で、通信装置の電源を切断し、それまでは電源供給の状態を維持する。記憶部１０４にある自動電源断終了時刻と時計１０５の現在時刻を比較し、同じであると判断すると、照度センサー部１０２による照度の検出は終了する。通信部１０３に関しては特に規定しない。
【００３２】
図２は自動電源断の設定画面の一例を示す図である。ここでは、例として自動電源断開始時刻に２３：００、自動電源断終了時刻に８：００を設定している。この時刻設定は図示しない入力部からの操作入力により任意の時間を設定することが可能である。この場合自動電源断開始時刻の２３：００に、照度センサーが作動し、通信装置周辺の照度を検出する。照度を検出した結果、暗いと判断すれば通信装置の電源は切断され、明るいと判断すれば通信装置の電源供給状態を維持する。通信装置の電源供給状態を維持した場合、照度センサーは引き続き照度を検出し、暗いと判断した時点で、通信装置の電源を切断し、それまでは電源供給状態を維持する。ただし、照度センサーの検出は自動電源断終了時刻である８：００に終了する。例えば、昼間、鞄などに通信装置を入れっぱなしで周囲が暗くとも、自動的に電源オフとなることが防げる。上述した制御シーケンスは図１の記憶部１０４に記憶してある。
【００３３】
次に、本発明を実施するための最良の形態の動作について図面を参照して説明する。 図３は本発明の第１の実施の形態における通信装置の電源制御手順を示すフローチャートである。通信装置では使用者が予め操作入力により自動電源断の開始時刻と終了時刻をメモリに設定しておく。以下の制御は通信装置の制御部１０１（図１）が行う。なお、制御部１０１は自動電源断開始時刻になると、すなわち記憶部より読み出した自動電源断開始時刻と時計から得た現在時刻が同一になったことを検出すると（ステップ３０１：Ｓ３０１と略称、以下同様）、照度センサーが作動し周辺の照度を検出する（Ｓ３０２）。検出した値と明暗検出しきい値を比較し（Ｓ３０３）、暗いと判断すれば通信装置の電源を切断する（Ｓ３０４）。明るいと判断すれば、現在時刻と自動電源断終了時刻を比較し（Ｓ３０５）、同じであれば照度センサーによる周辺照度の検出は終了し（Ｓ３０６）、そうでなければＳ３０２に戻り、再度、照度センサーによる照度の検出を行う。
【００３４】
図４は電源断を指定した時刻における電源の状態を示すタイムチャートである。状態４０１は、自動電源断開始時刻に照度センサーが作動し、照度の検出を行った結果、暗いと判断し通信装置の電源が切断されたところを示す。状態４０２は自動電源断開始時刻に照度センサーが作動し、照度の検出を行った結果、明るいと判断し通信装置の電源供給状態を維持したが、暗いと判断した時点で、通信装置の電源が切断されたところを示す。状態４０３は自動電源断開始時刻に照度センサーが作動し、照度の検出を行った結果、明るいと判断され、その後自動電源断終了時刻まで暗いと判断されなかったため、照度センサーの検出は終了し、通信装置の電源供給状態は維持したままになったところを示す。
【００３５】
次に、基本的構成は上述の図３の通りであるが、本発明の電源制御方法の他例のフローチャートを図５に示す。この場合も、上述したと同様に、使用者が予め操作入力により自動電源断の開始時刻と終了時刻をメモリに設定しておく。自動電源断開始時刻になると（Ｓ５０１）、照度センサーが作動し照度を検出する（Ｓ５０２）。次に、検出した値と明暗検出しきい値を比較し（Ｓ５０３）、暗いと判断すれば通信装置の電源を切断する（Ｓ５０４）明るいと判断すれば、現在時刻と自動電源断終了時刻を比較し（Ｓ５０５）、同じであれば照度センサーによる照度の検出は終了（Ｓ５０６）、そうでなければ照度センサーによる照度の検出を一定時間停止する（Ｓ５０７）、その後照度の検出を再開する（Ｓ５０２）。この例では最初に述べた例と比べ、電力の消費を抑えることが可能になる。
【００３６】
次に、本発明の第２の実施の形態を図面を参照して説明する。
【００３７】
図６は本発明の第２の実施の形態における通信装置を示す構成図である。通信装置は、制御部６０１、照度センサー部６０２、通信部６０３、記憶部６０４、時計６０５および報知部６０６を備える。通信装置によっては、電源を切断するより鳴動を停止させるだけの方が便利である。照度センサー部６０２は周辺の照度を検出する。通信部６０３は他の通信装置と信号の送受信を行う。記憶部６０４は、予め操作入力に基づいて通信装置における鳴動停止の開始時刻と終了時刻ならびに明暗判定のためのしきい値を記憶しておく。時計６０５は現在時刻を出力する。報知部６０６は通信装置への着信等を使用者に通知するもので、鳴動装置を有する。この鳴動装置としては、音および振動のいずれの鳴動装置を用いても良い。制御部６０１は、記憶部６０４にある自動鳴動停止の開始時刻、現在時刻および終了時刻ならびに周辺照度に基づき上述した第１の実施の形態と同様の制御を行う。
【００３８】
図７は本発明の第２の実施の形態における通信装置の鳴動制御手順を示すフローチャートである。この場合、通信装置では使用者が予め操作入力により自動鳴動停止の開始時刻と終了時刻をメモリに設定しておく。以下の制御は通信装置の制御部６０１（図６）が行う。なお、制御部６０１は自動鳴動停止開始時刻になると、すなわち記憶部より読み出した自動鳴動停止開始時刻と時計から得た現在時刻が同一になったことを検出すると（Ｓ７０１）、照度センサーが作動し周辺の照度を検出する（Ｓ７０２）。
【００３９】
検出した値と明暗検出しきい値を比較し（Ｓ７０３）、暗いと判断すれば通信装置の鳴動装置を停止する（Ｓ７０４）。明るいと判断すれば、現在時刻と自動鳴動停止終了時刻とを比較し（Ｓ７０５）、同じであれば照度センサーによる照度の検出は終了（Ｓ７０６）、そうでなければ照度センサーによる照度の検出を行う（Ｓ７０２）。本第２の実施の形態では、自動鳴動停止開始時刻以降に通信装置周辺が暗くても、通信装置は鳴動しなくなるだけで、継続的に使用することが可能になる。
【００４０】
なお、上述した第１,２いずれの実施の形態でも、周辺照度の検出の結果、暗い状態が所定時間継続した場合に初めて暗いと判断するようにしてもよい。これにより、一時的に暗くなったときには、判定を行わずそれまでの状態を維持することができると共に、より正確な明暗判定が可能となる。
【００４１】
上述した実施の形態では、通信装置の例を説明したが、この通信装置は携帯端末であり、具体的には携帯電話機あるいは簡易携帯電話機（ＰＨＳ：Ｐｅｒｓｏｎａｌ  Ｈａｎｄｙｐｈｏｎｅ  Ｓｙｓｔｅｍ）である。
【図面の簡単な説明】
【００４２】
【図１】本発明の第１の実施の形態における通信装置を示す構成図である。
【図２】本発明の第１の実施の形態における自動電源断の設定画面の一例を示す図である。
【図３】本発明の第１の実施の形態における通信装置の電源制御手順を示すフローチャートである。
【図４】電源断指定した時刻における電源の状態を示すタイムチャートである。
【図５】本発明の第１の実施の形態における通信装置の電源制御手順の他の例を示すフローチャートである。
【図６】本発明の第２の実施の形態における通信装置を示す構成図である。
【図７】本発明の第２の実施の形態における通信装置の鳴動制御手順を示すフローチャートである。
【符号の説明】
【００４３】
１０１，６０１    制御部
１０２，６０２    照度センサー部
１０３，６０３    通信部
１０４，６０４    記憶部
１０５，６０５    時計
６０６    報知部
【図１】
2005159421.tif 000003
【図２】
2005159421.tif 000004
【図３】
2005159421.tif 000005
【図４】
2005159421.tif 000006
【図５】
2005159421.tif 000007
【図６】
2005159421.tif 000008
【図７】
2005159421.tif 000009